Podtech/llm-jp-corpus-v4-ja_patent huggingface dataset:
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
血液学的悪性腫瘍を処置するための組合せ物であって、変異型イソクエン酸デヒドロゲナーゼ１（ＩＤＨ１）阻害剤およびＤＮＡ脱メチル化剤を含み、前記変異型ＩＤＨ１阻害剤が、次式
【化４】
2018536636.tif 000001
を有する（Ｓ）−Ｎ−（（Ｓ）−１−（２−クロロフェニル）−２−（（３，３−ジフルオロシクロブチル）アミノ）−２−オキソエチル）−１−（４−シアノピリジン−２−イル）−Ｎ−（５−フルオロピリジン−３−イル）−５−オキソピロリジン−２−カルボキサミド、または薬学的に許容されるその塩、溶媒和物、互変異性体、立体異性体、同位体置換体、プロドラッグもしくは多形体（化合物２）であり、前記血液学的悪性腫瘍が、ＩＤＨ１の変異対立遺伝子の存在によって特徴付けられる悪性腫瘍である、組合せ物。
【請求項２】
前記ＩＤＨ１変異が、ＩＤＨ１のＲ１３２Ｘ変異である、請求項１に記載の組合せ物。
【請求項３】
前記ＩＤＨ１変異が、ＩＤＨ１のＲ１３２Ｈ、Ｒ１３２Ｃ、Ｒ１３２Ｌ、Ｒ１３２Ｖ、Ｒ１３２ＳまたはＲ１３２ＧＦ変異である、請求項１または２に記載の組合せ物。
【請求項４】
前記悪性腫瘍が、急性骨髄性白血病（ＡＭＬ）、骨髄異形成症候群（ＭＤＳ）、骨髄増殖性新生物（ＭＰＮ）、慢性骨髄単球性白血病（ＣＭＭＬ）、Ｂ−急性リンパ芽球性白血病（Ｂ−ＡＬＬ）、またはリンパ腫である、請求項１に記載の組合せ物。
【請求項５】
前記悪性腫瘍が、急性骨髄性白血病（ＡＭＬ）である、請求項１に記載の組合せ物。
【請求項６】
前記ＡＭＬが、未処置のＡＭＬである、請求項５に記載の組合せ物。
【請求項７】
前記ＡＭＬが、新たに診断されたＡＭＬである、請求項５に記載の組合せ物。
【請求項８】
化合物２の用量が、約２０〜２０００ｍｇ／日である、請求項１〜７のいずれか一項に記載の組合せ物。
【請求項９】
化合物２の用量が、約５０〜５００ｍｇ／日である、請求項１〜７のいずれか一項に記載の組合せ物。
【請求項１０】
化合物２の用量が、約５０ｍｇ／日である、請求項１〜７のいずれか一項に記載の組合せ物。
【請求項１１】
化合物２の用量が、約７５ｍｇ／日である、請求項１〜７のいずれか一項に記載の組合せ物。
【請求項１２】
化合物２の用量が、約１００ｍｇ／日である、請求項１〜７のいずれか一項に記載の組合せ物。
【請求項１３】
化合物２の用量が、約５００ｍｇ／日である、請求項１〜７のいずれか一項に記載の組合せ物。
【請求項１４】
前記ＤＮＡ脱メチル化剤が、アザシチジンである、請求項１〜１３のいずれか一項に記載の組合せ物。
【請求項１５】
アザシチジンの用量が、約５０〜約５００ｍｇ／ｍ２／日である、請求項１４に記載の組合せ物。
【請求項１６】
アザシチジンの用量が、約５０〜約２００ｍｇ／ｍ２／日である、請求項１４に記載の組合せ物。
【請求項１７】
アザシチジンの用量が、約５０ｍｇ／ｍ２／日である、請求項１４に記載の組合せ物。
【請求項１８】
アザシチジンの用量が、約６０ｍｇ／ｍ２／日である、請求項１４に記載の組合せ物。
【請求項１９】
アザシチジンの用量が、約７５ｍｇ／ｍ２／日である、請求項１４に記載の組合せ物。
【請求項２０】
化合物２およびアザシチジンが、同時に投与されることを特徴とする、請求項１４〜１９のいずれか一項に記載の組合せ物。
【請求項２１】
化合物２およびアザシチジンが、逐次的に投与されることを特徴とする、請求項１４〜１９のいずれか一項に記載の組合せ物。
【請求項２２】
アザシチジンがサイクルで投与される、請求項１４〜２１のいずれか一項に記載の組合せ物。
【請求項２３】
アザシチジンが、各２８日間の処置サイクルの７日間にわたって皮下投与される、請求項２２に記載の組合せ物。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
式Ｉ：
【化１】
2018536637.tif 000001
[式中、
Ａｒ１は、フェニルであって、シアノ、ハロ、アルキル、ハロアルキルおよびハロアルコキシから選択される０〜３つの置換基で置換されており；
Ａｒ２は、ピリジニルまたはピリミジニルであって、１つのＯＲ置換基および０〜２つのハロまたはアルキル置換基により置換されており；
Ｒは、水素であるか、またはアルキルエステル、アミノ酸エステル、アルコキシエステル、ホスホン酸、ホスホン酸アルキルエステル、アルコキシホスホネート、アルコキシホスホネートアルキルエステル、アルキルカルバメート、アミノ酸カルバメート、アルキルホスホロアミデート、アリールホスホロアミデートおよびスルファメートからなる群から選択されるプロドラッグ部分であり；
Ｘは、結合であるか、またはＣ１−Ｃ３アルキレンであり；
ｎは、１または２であり
環Ａは、ピペラジニル、ホモピペラジニル、２,５−ジアザビシクロ[２.２.１]ヘプタンまたはピペラジン−２−オンであって、ハロ、アルキル、ヒドロキシまたはアルコキシから選択される０〜４つの置換基で置換されている]
の化合物あるいはその医薬的に許容される塩。
【請求項２】
ｎが１であり、環Ａが０〜２つのアルキル置換基により置換されたピペラジニルである、請求項１記載の化合物。
【請求項３】
Ａｒ１が、シアノ、ハロ、アルキル、ハロアルキルおよびハロアルコキシから選択される０〜３つの置換基で置換されたフェニルである、請求項１記載の化合物。
【請求項４】
Ａｒ２が、
2018536637.tif 000002
から選択され、
Ｒが、水素、アミノ酸エステル、ホスホン酸、アルコキシホスホネート、アルキルカルバメート、アミノ酸カルバメート、アルキルホスホロアミデート、アリールホスホロアミデートおよびスルファメートから選択される、請求項１記載の化合物。
【請求項５】
Ｘがメチレンである、請求項１記載の化合物。
【請求項６】
Ｒが水素である、請求項１記載の化合物。
【請求項７】
ＲがＰ(＝Ｏ)(ＯＨ)２である、請求項１記載の化合物。
【請求項８】
【化２】
2018536637.tif 000003
【化３】
2018536637.tif 000004
【化４】
2018536637.tif 000005
【化５】
2018536637.tif 000006
【化６】
2018536637.tif 000007
【化７】
2018536637.tif 000008
【化８】
2018536637.tif 000009
からなる群から選択される、請求項１記載の化合物あるいはその医薬的に許容される塩。
【請求項９】
請求項１〜８のいずれか１項に記載の化合物あるいはその医薬的に許容される塩、および医薬的に許容し得る担体を含む、医薬組成物。
【請求項１０】
請求項１〜８のいずれか１項に記載の化合物を含む、うつ病、アルツハイマー病、神経性疼痛またはパーキンソン病の治療剤。
【請求項１１】
うつ病の治療に関する、請求項１０記載の治療剤。
【請求項１２】
アルツハイマー病の治療に関する、請求項１０記載の治療剤。
【請求項１３】
神経性疼痛の治療に関する、請求項１０記載の治療剤。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
以下の式Ｉの化合物又はその薬学的に許容される塩、立体異性体、多形体、溶媒和物、代謝物若しくはプロドラッグ
【化１】
2018536634.tif 000001
［式中、
Ｒ１は、Ｃ１〜６アルキル、Ｃ３〜１０シクロアルキル、３〜１０員ヘテロシクリル、Ｃ６〜１４アリール、５〜１４員ヘテロアリール、Ｃ７〜２０アラルキル、Ｃ（Ｏ）Ｒ１０、及びＳ（Ｏ）２Ｒ１１からなる群から選択され、
Ｒ２及びＲ３は、Ｈ、ＣＮ、ハロゲン、及びＣ１〜６アルキルからなる群からそれぞれ独立に選択され、
Ｒ４及びＲ５は、Ｈ、ハロゲン、及びＣＮからなる群からそれぞれ独立に選択され、
Ｘは、ＣＲ６であり、
Ｙは、Ｎ及びＣＲ９からなる群から選択され、
Ｚは、Ｎ及びＣＲ７からなる群から選択され、
Ｗは、Ｎ及びＣＲ８からなる群から選択され、
Ｒ６、Ｒ７、Ｒ８及びＲ９は、Ｈ、ハロゲン、ＣＮ、Ｃ１〜６アルキル、Ｃ１〜６アルコキシ、及びＣ（Ｏ）ＮＲ１２Ｒ１３からなる群からそれぞれ独立に選択され、
Ｒ１０及びＲ１１は、Ｃ１〜６アルキル、Ｃ３〜１０シクロアルキル、３〜１０員ヘテロシクリル、Ｃ６〜１４アリール、５〜１４員ヘテロアリール、Ｃ７〜２０アラルキル、及びＮＲ１２Ｒ１３からなる群からそれぞれ独立に選択され、
Ｒ１２及びＲ１３は、Ｈ及びＣ１〜６アルキルからなる群からそれぞれ独立に選択され、
ここで、前記アルキル、シクロアルキル、ヘテロシクリル、アリール、ヘテロアリール及びアラルキルは、ハロゲン、ＣＮ、及びＣ１〜４アルキルからなる群から独立に選択される１、２又は３個の置換基でそれぞれ任意選択で置換されている］。
【請求項２】
前記化合物が、以下の式ＩＩの化合物である、請求項１に記載の化合物、又はその薬学的に許容される塩、立体異性体、多形体、溶媒和物、代謝物若しくはプロドラッグ
【化２】
2018536634.tif 000002
。
【請求項３】
前記化合物が、以下の式ＩＶの化合物である、請求項２に記載の化合物、又はその薬学的に許容される塩、立体異性体、多形体、溶媒和物、代謝物若しくはプロドラッグ
【化３】
2018536634.tif 000003
［式中、
Ｒ１は、Ｃ（Ｏ）Ｒ１０及びＳ（Ｏ）２Ｒ１１からなる群から選択され、
Ｒ１０及びＲ１１は、Ｃ１〜６アルキル、Ｃ３〜１０シクロアルキル、３〜１０員ヘテロシクリル、Ｃ６〜１４アリール、５〜１４員ヘテロアリール、Ｃ７〜２０アラルキル、及びＮＲ１２Ｒ１３からなる群からそれぞれ独立に選択され、ここで、前記アルキル、シクロアルキル、ヘテロシクリル、アリール、ヘテロアリール及びアラルキルは、ハロゲン、ＣＮ、及びＣ１〜４アルキルからなる群から独立に選択される１、２又は３個の置換基でそれぞれ任意選択で置換されている］。
【請求項４】
前記化合物が、以下の式Ｖの化合物である、請求項３に記載の化合物、又はその薬学的に許容される塩、立体異性体、多形体、溶媒和物、代謝物若しくはプロドラッグ
【化４】
2018536634.tif 000004
。
【請求項５】
前記化合物が、以下の式ＶＩの化合物である、請求項４に記載の化合物、又はその薬学的に許容される塩、立体異性体、多形体、溶媒和物、代謝物若しくはプロドラッグ
【化５】
2018536634.tif 000005
。
【請求項６】
以下からなる群から選択される化合物又はその薬学的に許容される塩、立体異性体、多形体、溶媒和物、代謝物若しくはプロドラッグ
【化６】
2018536634.tif 000006
2018536634.tif 000007
2018536634.tif 000008
。
【請求項７】
治療有効量の請求項１〜６のいずれか一項に記載の化合物と、１種又は複数の薬学的に許容される担体とを含む、医薬組成物。
【請求項８】
前記治療有効量が、約０．０１ｍｇ〜約１０００ｍｇ、好適には、０．１〜５００ｍｇ、好ましくは、０．５〜３００ｍｇ、より好ましくは、１〜１５０ｍｇ、特に好ましくは、１〜５０ｍｇ、例えば、１．５ｍｇ、２ｍｇ、４ｍｇ、１０ｍｇ、又は２５ｍｇである、請求項７に記載の医薬組成物。
【請求項９】
ＪＡＫ関連疾患の治療のための１種又は複数の更なる薬物を更に含む、請求項７又は８に記載の医薬組成物。
【請求項１０】
ＪＡＫ関連疾患の治療のための前記更なる薬物が、エファリズマブ、ミコフェノール酸ナトリウム、エタネルセプト、及びメトトレキサートからなる群から選択される１種又は複数である、請求項９に記載の医薬組成物。
【請求項１１】
ＪＡＫ関連疾患の治療における使用のための、請求項１〜６のいずれか一項に記載の化合物又は請求項７〜１０のいずれか一項に記載の医薬組成物。
【請求項１２】
前記ＪＡＫ関連疾患が、炎症性疾患、自己免疫疾患、及びがんからなる群から選択され、より詳細には、前記疾患が関節リウマチである、請求項１１に記載の化合物又は医薬組成物。
【請求項１３】
以下を含む、請求項１〜６のいずれか一項に記載の化合物の調製のための方法
【化７】
2018536634.tif 000009
［式中、Ｈａｌは、フッ素、塩素、臭素、及びヨウ素からなる群から選択され、残りの基及び置換基はそれぞれ、請求項１〜６のいずれか一項に定義されている通りであり、
式中、
化合物ａは、極性非プロトン性溶媒中で塩基の存在下においてＳＥＭＣｌと反応して、化合物ｂをもたらし、
化合物ｂは、パラジウム触媒の触媒作用の下で、塩基の存在下において適切な試薬と反応して、化合物ｃをもたらし、
化合物ｃは、塩基の存在下において適切な試薬と反応して、化合物ｄをもたらし、
化合物ｄは、ルイス酸の触媒作用の下で処理されて、式Ｉの化合物をもたらし、代替的に、化合物ｄは、最初に酸の触媒作用の下で反応し、次いで、得られた生成物が、処理後に、塩基の存在下において反応して、式Ｉの化合物をもたらす］。
【請求項１４】
以下を含む、請求項１〜６のいずれか一項に記載の化合物の調製のための方法
【化８】
2018536634.tif 000010
［式中、Ｈａｌは、フッ素、塩素、臭素、及びヨウ素からなる群から選択され、
Ｒ１４及びＲ１５は、Ｈ及びＣ１〜６アルキルからなる群からそれぞれ独立に選択され、又はＲ１４及びＲ１５は、それらが付加されている原子と一緒になって５又は６員環構造を形成し、
残りの基及び置換基はそれぞれ、請求項１〜６のいずれか一項に定義されている通りであり、
式中、
化合物ａは、極性非プロトン性溶媒中で塩基の存在下においてＳＥＭＣｌと反応して、化合物ｂをもたらし、
化合物ｂは、パラジウム触媒の触媒作用の下で、塩基の存在下において適切な試薬と反応して、化合物ｃ’をもたらし、
化合物ｃ’は、パラジウム触媒の触媒作用の下で、塩基の存在下において適切な試薬と反応して、化合物ｄ’をもたらし、
化合物ｄ’は、塩基の存在下において適切な試薬と反応して、化合物ｅ’をもたらし、
化合物ｅ’は、ルイス酸の触媒作用の下で反応して、式Ｉの化合物をもたらし、代替的に、化合物ｅ’は、最初に酸の触媒作用の下で反応し、次いで、得られた生成物が、処理後に、塩基の存在下において反応して、式Ｉの化合物をもたらす］。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
経皮パッチをコーティングするのに好適な調製製剤であって、治療活性物質と、水と、Ｚｎ２＋塩、Ｍｇ２＋塩、Ｃａ２＋塩、ポリエチレングリコールおよびヒドロキシプロピルベータ−シクロデキストリンからなる群から選択される１種以上の賦形剤とを含む調製製剤。
【請求項２】
生物活性ペプチドまたはタンパク質をさらに含む、請求項１に記載の調製製剤。
【請求項３】
抗体を含む、請求項１または２に記載の調製製剤。
【請求項４】
複数の微小突起を含む経皮パッチであって、アレイ内の少なくとも１つの微小突起は、少なくとも部分的にコーティングにより被覆され、前記コーティングは、治療活性物質と、Ｚｎ２＋塩、Ｍｇ２＋塩、Ｃａ２＋塩、ポリエチレングリコールおよびヒドロキシプロピルベータ−シクロデキストリンからなる群から選択される１種以上の賦形剤とを含む経皮パッチ。
【請求項５】
前記微小突起は、微小針である、請求項４に記載の経皮パッチ。
【請求項６】
前記治療活性物質は、生物活性ペプチドまたはタンパク質を含む、請求項４または５に記載の経皮パッチ。
【請求項７】
前記治療活性物質は、抗体を含む、請求項４〜６のいずれか一項に記載の経皮パッチ。
【請求項８】
生物活性ペプチドを含む、請求項１〜３のいずれか一項に記載の調製製剤または請求項４〜７のいずれか一項に記載の経皮パッチ。
【請求項９】
前記生物活性ペプチドは、少なくとも１０個のアミノ酸を含み、任意に、前記生物活性ペプチドは、配列番号１に示すアバロパラチドである、請求項８に記載の調製製剤または経皮パッチ。
【請求項１０】
(i)前記賦形剤は、ＺｎＣｌ２、Ｚｎ（ＯＡｃ）２、Ｚｎ３（ＰＯ４）２、クエン酸Ｚｎ、シュウ酸Ｚｎ、ＭｇＯ、クエン酸Ｍｇ、ＭｇＳＯ４、オロチン酸Ｍｇ、乳酸Ｍｇ、ＭｇＣＯ３、ソルビン酸Ｃａ、クエン酸Ｃａ、アスコルビン酸Ｃａ、Ｃａ３（ＰＯ４）２、ＣａＣｌ２、ＣａＣＯ３、ＣａＳＯ４、およびＣａ（ＯＡｃ）２からなる群から選択され、任意に、前記賦形剤は、ＺｎＣｌ２およびＺｎ（ＯＡｃ）２ならびにそれらの組み合わせから選択される；
(ii)前記治療活性物質に対する前記賦形剤のモル比は、０．１から２．０である；
(iii)前記治療活性物質に対する前記賦形剤のモル比は、０．２から１．５である；および／または
(iv)前記治療活性物質に対する前記賦形剤のモル比は、０．２５から１．０である、
請求項１〜３、８および９のいずれか一項に記載の調製製剤または請求項４〜９のいずれか一項に記載の経皮パッチ。
【請求項１１】
前記生物活性ペプチドは、配列番号１に示すアバロパラチドであり、前記アバロパラチドは、９０〜１１０μｇ、１４０〜１６０μｇ、１８５〜２２０μｇ、２２５〜２７５μｇの量、または約１００μｇ、約１５０μｇ、約２００μｇもしくは約２５０μｇの量で前記微小突起アレイ上に存在する、請求項８〜１０のいずれか一項に記載の経皮パッチ。
【請求項１２】
対象における骨粗しょう症、骨減少、変形性関節炎、および骨折からなる群から選択される状態の治療において使用するための、請求項９〜１１のいずれか一項に記載の経皮パッチであって、前記生物活性ペプチドは、配列番号１に示すアバロパラチドである、経皮パッチ。
【請求項１３】
脊椎、非脊椎、臨床的、および大きな骨粗しょう症性骨折の予防において使用するための、請求項９〜１１のいずれか一項に記載の経皮パッチであって、前記生物活性ペプチドは、配列番号１に示すアバロパラチドである、経皮パッチ。
【請求項１４】
対象における骨ミネラル濃度（ＢＭＤ）の改善、骨梁スコア（ＴＢＳ）の改善、および／または骨折の低減において使用するための、請求項９〜１１のいずれか一項に記載の経皮パッチであって、前記生物活性ペプチドは、配列番号１に示すアバロパラチドである、経皮パッチ。
【請求項１５】
(i)前記パッチは、３００〜７５０個の微小突起を含む；
(ii)前記使用は、患者の角質層に微小突起の１つ以上を突き通すのに十分な力を経皮パッチに印加することを含む；および／または
(iii)使用部位は、腹部または大腿部である、
請求項１２〜１４のいずれか一項に記載の経皮パッチ。
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
約50 mg〜約500 mgの式4：
2018536638.tif 000001
[式4]
によって示される化合物、またはその薬学的に許容される塩を含む、患者のアトピー性皮膚炎を処置するための薬学的組成物。
【請求項２】
約75 mg〜約350 mgの式4によって示される化合物、またはその薬学的に許容される塩を含む、請求項1に記載の薬学的組成物。
【請求項３】
経口投与されるように用いられる、請求項1に記載の薬学的組成物。
【請求項４】
患者の肥満細胞からの胸腺間質性リンホポイエチン(thymic stromal lymphopoietin)(TSLP)分泌を阻害する、請求項1に記載の薬学的組成物。
【請求項５】
患者のカスパーゼ-1活性を阻害する、請求項1に記載の薬学的組成物。
【請求項６】
患者のIL-4および/またはIL-6レベルを減少させる、請求項1に記載の薬学的組成物。
【請求項７】
患者の血清IgEレベルを減少させる、請求項1に記載の薬学的組成物。
【請求項８】
患者の表皮厚みを減少させる、請求項1に記載の薬学的組成物。
【請求項９】
皮膚組織中の肥満細胞の数を減少させる、請求項1に記載の薬学的組成物。
【請求項１０】
約50 mg〜約500 mgの式4：
2018536638.tif 000002
[式4]
によって示される化合物、またはその薬学的に許容される塩を含む、患者の炎症性腸疾患を処置するための薬学的組成物。
【請求項１１】
約75 mg〜約350 mgの式4によって示される化合物、またはその薬学的に許容される塩を含む、請求項10に記載の薬学的組成物。
【請求項１２】
経口投与されるように用いられる、請求項10に記載の薬学的組成物。
【請求項１３】
炎症性腸疾患が潰瘍性大腸炎である、請求項10に記載の薬学的組成物。
【請求項１４】
炎症性腸疾患がクローン病である、請求項10に記載の薬学的組成物。
【請求項１５】
患者の肥満細胞からの胸腺間質性リンホポイエチン(TSLP)分泌を阻害する、請求項10に記載の薬学的組成物。
【請求項１６】
患者のカスパーゼ-1活性を阻害する、請求項10に記載の薬学的組成物。
【請求項１７】
式4：
2018536638.tif 000003
[式4]
によって示される化合物またはその薬学的に許容される塩を含む、患者のカスパーゼ-1活性を阻害するための薬学的組成物。
【請求項１８】
患者がアトピー性皮膚炎または炎症性腸疾患を患っている、請求項17に記載の薬学的組成物。
【請求項１９】
約50 mg〜約500 mgの式4によって示される化合物、またはその薬学的に許容される塩を含む、請求項17に記載の薬学的組成物。
【請求項２０】
経口投与されるように用いられる、請求項17に記載の薬学的組成物。
【手続補正２】
【補正対象書類名】明細書
【補正対象項目名】００３６
【補正方法】変更
【補正の内容】
【００３６】
本発明はまた、本発明の化合物を活性成分として含む、アレルギーを緩和および軽減するための食品組成物を提供する。
[本発明1001]
下記式1〜4
2018536638.tif 000004
[式1]
2018536638.tif 000005
[式2]
2018536638.tif 000006
[式3]
2018536638.tif 000007
[式4]
によって示される化合物またはその薬学的に許容される塩より選択される、化合物。
[本発明1002]
肥満細胞からのTSLP(胸腺間質性リンホポイエチン（thymic stromal lymphopoietin）)分泌を阻害する、本発明1001の化合物。
[本発明1003]
アトピー性皮膚炎の処置に有効である、本発明1001の化合物。
[本発明1004]
本発明1001の化合物を活性成分として含む、アトピー性皮膚炎を予防および処置するための薬学的組成物。
[本発明1005]
本発明1001の化合物を活性成分として含む、アレルギーを予防および処置するための薬学的組成物。
[本発明1006]
本発明1001の化合物を活性成分として含む、アトピー性皮膚炎を緩和および軽減するための化粧品組成物。
[本発明1007]
本発明1001の化合物を活性成分として含む、アレルギーを緩和および軽減するための化粧品組成物。
[本発明1008]
本発明1001の化合物を活性成分として含む、アトピー性皮膚炎を緩和および軽減するための食品組成物。
[本発明1009]
本発明1001の化合物を活性成分として含む、アレルギーを緩和および軽減するための食品組成物。
[本発明1010]
本発明1001の化合物を活性成分として含む、炎症性腸疾患を処置するための薬学的組成物。
[本発明1011]
本発明1001の化合物を活性成分として含む、炎症性腸疾患を緩和および軽減するための食品組成物。
【手続補正書】
【提出日】令和1年9月26日(2019.9.26)
【手続補正１】
【補正対象書類名】明細書
【補正対象項目名】発明の名称
【補正方法】変更
【補正の内容】
【発明の名称】小関節窩の置換および／もしくは再生における使用のための、および／もしくは、椎間関節の疾患の予防および／もしくは治療における使用のための、医療用組成物及び医療用ヒドロゲル
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
対象における移植片対宿主病（ＧｖＨＤ）を治療又は予防するための医薬組成物であって、
移植片対宿主病の少なくとも１つの症状又は臨床徴候を適切な対照対象より軽減するのに有効な複数の骨髄系由来サプレッサー細胞（ＭＤＳＣ）を含む医薬組成物。
【請求項２】
前記組成物の投与は、以前に投与されたＭＤＳＣがインフラマソーム活性化を起こす際に、複数回で連続投与することにより実施される、請求項１に記載の医薬組成物。
【請求項３】
少なくとも１回の前記組成物の投与は、前回の前記組成物の投与の少なくとも３日後に行われる、請求項２に記載の医薬組成物。
【請求項４】
前記組成物は、少なくとも３回投与される、請求項２又は請求項３に記載の医薬組成物。
【請求項５】
前記複数のＭＤＳＣの少なくとも一部は、インフラマソーム活性化に対する抵抗性を前記ＭＤＳＣにもたらす遺伝子改変を含む、請求項１から４の何れか一項に記載の医薬組成物。
【請求項６】
前記遺伝子改変はアポトーシス関連スペック様カード蛋白質（ＡＳＣ）の欠損を含む、請求項５に記載の医薬組成物。
【請求項７】
更に、インフラマソームを阻害する薬剤が、前記ＭＤＳＣがインフラマソーム活性化を起こす程度を減少させるのに有効な量で、前記対象に投与される、請求項１から６の何れか一項に記載の医薬組成物。
【請求項８】
前記ＧｖＨＤは急性移植片対宿主病を含む、請求項１から７の何れか一項に記載の医薬組成物。
【請求項９】
抗腫瘍剤を含む、対象における腫瘍を治療するための医薬組成物であって、
該医薬組成物は、ＭＤＳＣのインフラマソーム活性化を増加させて前記ＭＤＳＣのサプレッサー機能を下げるのに充分に有効な量のインフラマソーム誘発物質と共に、対象に共投与される、前記医薬組成物。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
厚さ（ｔ）（ｍｍ）を画定する、第１の表面および前記第１の表面の反対にある第２の表面と、
ゼロではなく、かつ約０・ｔ〜約０．３・ｔの厚さ範囲に沿って変動する金属酸化物の濃度と、
約２００ＭＰａ以上の表面圧縮応力と、
約７１．５／√（ｔ）未満の最大ＣＴ（ＭＰａ）を含む中央張力（ＣＴ）領域と
を含むガラス系物品。
【請求項２】
前記金属酸化物の前記濃度は、ゼロではなく、かつ前記厚さ全体に沿って変動することを特徴とする、請求項１に記載のガラス系物品。
【請求項３】
第１の金属酸化物濃度および第２の金属酸化物濃度を含み、
前記第１の金属酸化物濃度は、厚さが約０・ｔ〜約０．５・ｔの第１の範囲にわたって変動するときに、約１５モル％〜約０モル％の範囲内で変動し、
前記第２の金属酸化物濃度は、厚さが前記第１の表面および前記第２の表面の少なくとも１つから約０マイクロメートル〜約２５マイクロメートルの第２の範囲にわたって変動するときに、約０モル％〜約１０モル％の範囲内で変動することを特徴とする、請求項１に記載のガラス系物品。
【請求項４】
前記ＣＴ領域が、ゼロではなく、かつ約０・ｔ〜約０．３・ｔの厚さ範囲に沿って変動する前記金属酸化物の濃度を含むことを特徴とする、請求項１に記載のガラス系物品。
【請求項５】
前記金属酸化物の一価イオンは、前記厚さ範囲に沿って応力を発生させ、前記金属酸化物の前記一価イオンは、前記ガラス系物品中の前記金属酸化物の前記一価イオンの全ての最大イオン直径を有することを特徴とする、請求項１に記載のガラス系物品。
【請求項６】
前記金属酸化物の前記濃度は、前記第１の表面から、前記第１の表面と前記第２の表面との間の点における値まで減少し、かつ前記値から前記第２の表面まで増加することを特徴とする、請求項１に記載のガラス系物品。
【請求項７】
約４６０℃において約４５０μｍ２／時以上のナトリウムまたはカリウムイオン拡散率と、約０．１５・ｔを超えるＤＯＣとを含み、前記表面ＣＳは、前記最大ＣＴの１．５倍以上であることを特徴とする、請求項１に記載のガラス系物品。
【請求項８】
表面ＣＳの絶対値に対する最大ＣＴの比は、約０．１〜約０．２の範囲内であることを特徴とする、請求項１に記載のガラス系物品。
【請求項９】
前記厚さ（ｔ）が約３ミリメートル以下であり、
前記厚さに沿って延在する応力プロファイルを含み、
約０・ｔ〜最大０．３・ｔおよび約０．７・ｔ超〜ｔの厚さ範囲間の前記応力プロファイルの全ての点は、約０．１ＭＰａ／マイクロメートルを超える絶対値を有する傾きを有する接線を含み、
前記応力プロファイルは、最大ＣＳ、ＤＯＣ、および前記ＣＴ領域を含み、最大ＣＳの絶対値に対する最大ＣＴの比は、約０．０１〜約０．２の範囲内であり、前記ＤＯＣは、約０．１・ｔ以上であることを特徴とする、請求項１に記載のガラス系物品。
【請求項１０】
（ｉ）前記物品が曲げられて１００ＭＰａの引張応力を付与するときに、５００ニュートンを超える閾値破壊衝撃力と、
（ｉｉ）前記物品が曲げられて１００ＭＰａの引張応力を付与するときに、８００Ｎの衝撃力によって衝突された後に１２５ＭＰａ以上の残留強度と
の少なくとも１つを示すことを特徴とする、請求項４に記載のガラス系物品。
【請求項１１】
前記物品は、
（ｉ）前記物品が曲げられて１００ＭＰａの引張応力を付与するときに、５００ニュートンを超える閾値破壊衝撃力と、
（ｉｉ）前記物品が曲げられて１００ＭＰａの引張応力を付与するときに、８００Ｎの衝撃力によって衝突された後に１２５ＭＰａ以上の残留強度と
の少なくとも１つを示すことを特徴とする、請求項９に記載のガラス系物品。
【請求項１２】
約３８０ｎｍ〜約７８０ｎｍの範囲内の波長にわたって約８８％以上の透過率をさらに示すことを特徴とする、請求項１に記載のガラス系物品。
【請求項１３】
ＣＩＥ光源Ｆ０２下において、約８８以上のＬ＊値、約−３〜約＋３の範囲内のａ＊値、および約−６〜約＋６の範囲内のｂ＊値のＣＩＥＬＡＢ色空間座標をさらに示すことを特徴とする、請求項１に記載のガラス系物品。
【請求項１４】
約０．６５ＭＰａ・ｍ１／２以上の破壊靱性（Ｋ１Ｃ）を含むことを特徴とする、請求項１に記載のガラス系物品。
【請求項１５】
８０ＧＰａ未満のヤング率を含むことを特徴とする、請求項１に記載のガラス系物品。
【請求項１６】
ｔは、約１ミリメートル以下を含むことを特徴とする、請求項１に記載のガラス系物品。
【請求項１７】
約１００ｋＰ（１０ｋＰａ・ｓ）以上の液相線粘度を含むことを特徴とする、請求項１に記載のガラス系物品。
【請求項１８】
約１７モル％を超えるＡｌ２Ｏ３とＮａ２Ｏとの合計量を含む組成物と、
約４モル％を超えるＮａ２Ｏを含む組成物と、
Ｂ２Ｏ３、ＺｎＯ、またはＢ２Ｏ３とＺｎＯとの両方を実質的に含まない組成物と、
ゼロではない量のＰ２Ｏ５を含む組成物と
のいずれか１つ以上を含むことを特徴とする、請求項１に記載のガラス系物品。
【請求項１９】
５ｃｍ×５ｃｍ（２インチ×２インチ）の正方形の試験サイズで試験される場合、前記ガラス系物品が破壊されると、１平方インチ（約６．４５１６ｃｍ２）当たり２つ以下の破片に破壊されることを特徴とする、請求項１に記載のガラス系物品。
【請求項２０】
前面、背面、および側面を有するハウジングと、
少なくとも部分的に前記ハウジング内部にある電気部品と、
前記ハウジングの前記前面におけるまたはそれに隣接するディスプレイと、
前記ディスプレイの上に配置されるカバー基材と
を含むデバイスにおいて、前記カバー基材は、請求項１に記載のガラス系物品を含むことを特徴とするデバイス。
【手続補正２】
【補正対象書類名】明細書
【補正対象項目名】００１３
【補正方法】変更
【補正の内容】
【００１３】
１つ以上の実施形態では、ガラス系物品は、ゼロではなく、かつ約０・ｔ〜約０．３・ｔ（または約０・ｔ〜約０．４・ｔ、または約０・ｔ〜約０．４５・ｔ）の厚さ範囲に沿って変動する金属酸化物の濃度と、約２００ＭＰａ以上の表面圧縮応力と、約７１．５／√（ｔ）未満の最大ＣＴ（ＭＰａ）を有するＣＴ領域とを含み、ここで、「７１．５」は、ＭＰａ・（ｍｍ）０．５の単位であり、および「ｔ」は、ミリメートル（ｍｍ）の単位である。
【手続補正書】
【提出日】平成31年2月2日(2019.2.2)
【手続補正１】
【補正対象書類名】明細書
【補正対象項目名】００１３
【補正方法】変更
【補正の内容】
【００１３】
加えて、本発明の目的は、鉱物質の面におけるアンカー手段の化学的留付けに使用できる接着系アンカーとして容易に用いることができる硬化性水相アルミナセメント成分の凝固及び硬化を活性化する方法を提供することである。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
止血を促進するかまたは引き起こすための医療用具であって、複数の開口および相互接続されたセルを有する生体適合性カルボキシメチルセルロースのマトリックス材料を含み、前記生体適合性カルボキシメチルセルロースは、約０．２〜約３．０の骨格置換度、約５０〜約２，０００の平均重合度、および前記生体適合性カルボキシメチルセルロースの総重量の０を超えかつ約２重量％（％  ｂｙ  ｗｅｉｇｈｔ）未満のカルボニル量を特徴とする、医療用具。
【請求項２】
組織障壁を生じるかまたは強化するための医療用具であって、複数の開口および相互接続されたセルを有する生体適合性カルボキシメチルセルロースのマトリックス材料を含み、前記生体適合性カルボキシメチルセルロースは、約０．２〜約３．０の骨格置換度、約５０〜約２，０００の平均重合度、および前記生体適合性カルボキシメチルセルロースの総重量の０を超えかつ約２重量％（％  ｂｙ  ｗｅｉｇｈｔ）未満のカルボニル量を特徴とする、医療用具。
【請求項３】
創傷治癒または熱傷治癒を促進するかまたは引き起こすための医療用具であって、複数の開口および相互接続されたセルを有する生体適合性カルボキシメチルセルロースのマトリックス材料を含み、前記生体適合性カルボキシメチルセルロースは、約０．２〜約３．０の骨格置換度、約５０〜約２，０００の平均重合度、および前記生体適合性カルボキシメチルセルロースの総重量の０を超えかつ約２重量％（％  ｂｙ  ｗｅｉｇｈｔ）未満のカルボニル量を特徴とする、医療用具。
【請求項４】
皮膚または組織の若返りを促進するかまたは引き起こすための医療用具であって、複数の開口および相互接続されたセルを有する生体適合性カルボキシメチルセルロースのマトリックス材料を含み、前記生体適合性カルボキシメチルセルロースは、約０．２〜約３．０の骨格置換度、約５０〜約２，０００の平均重合度、および前記生体適合性カルボキシメチルセルロースの総重量の０を超えかつ約２重量％（％  ｂｙ  ｗｅｉｇｈｔ）未満のカルボニル量を特徴とする、医療用具。
【請求項５】
前記マトリックス材料はナトリウム塩、カリウム塩、カルシウム塩、マグネシウム塩およびアルミニウム塩から選択される１つまたは複数の塩を含む、請求項１〜４のいずれかに記載の医療用具。
【請求項６】
前記骨格置換度の範囲は約０．２〜約０．９であり、前記平均重合度が約１００〜約５５０である、請求項１〜４のいずれかに記載の医療用具。
【請求項７】
前記骨格置換度の範囲は約０．４５〜約０．８であり、前記平均重合度は約１５０〜約３５０である、請求項１〜４のいずれかに記載の医療用具。
【請求項８】
前記生体適合性カルボキシメチルセルロースは約６〜約８のｐＨ、約１０．０％以下の塩化物含量、および約６．５％〜約９．５％の範囲のナトリウム含量を特徴とする、請求項１〜７のいずれかに記載の医療用具。
【請求項９】
前記医療用具はさらに創傷治癒を刺激する１つまたは複数の生物活性剤を含む、請求項１〜８のいずれかに記載の医療用具。
【請求項１０】
前記医療用具はさらに感染を予防するかまたは軽減する１つまたは複数の生物活性剤を含む、請求項１〜９のいずれかに記載の医療用具。
【請求項１１】
前記医療用具はさらに１つまたは複数の抗繊維素溶解剤、接着剤または凝固因子を含む、請求項１〜８のいずれかに記載の医療用具。
【請求項１２】
前記医療用具はさらに１つまたは複数の接着剤を含む、請求項１〜８のいずれかに記載の医療用具。
【請求項１３】
前記医療用具はさらに１つまたは複数の凝固因子を含む、請求項１〜８のいずれかに記載の医療用具。
【請求項１４】
前記マトリックス材料は粉末、繊維、ウェブ、不織布、スポンジ、フィルム、カプセル、ペレット、カラム、プラグおよびコロイドから選択される形態である、請求項１〜１３のいずれかに記載の医療用具。
【請求項１５】
請求項１〜１４のいずれかに記載の医療用具を含む、創傷、熱傷または美容術の処置用のキット。
【請求項１６】
生体適合性カルボキシメチルセルロースのマトリックス材料を製造する方法であって、
リンター、木材および／または天然植物繊維を加熱しかつすすぐことにより浄化して抽出綿パルプを得；
前記抽出綿パルプを破砕し、ＮａＯＨで処理し、次いでＣＳ２で処理して粘性の紡糸溶液を作製し；
前記紡糸溶液をノズルから出し酸性媒体を通すことによって固化させてビスコース繊維を形成し；
前記ビスコース繊維を洗浄して残留化学物質を除去し；
洗浄した前記ビスコース繊維を接合させて織物にし；
前記織物を洗浄し；
前記織物をアルコールと混合したＮａＯＨアルカリ媒体でアルカリ化してアルカリ化織物を形成し；
前記アルカリ化織物をエーテル化し；
ｐＨを約６〜約８の範囲内に調整し；そして
前記織物を洗浄すること
を含む、方法。
【請求項１７】
前記生体適合性カルボキシメチルセルロースのマトリックス材料は、約０．２〜約３．０の骨格置換度、約５０〜約２，０００の平均重合度、および前記生体適合性カルボキシメチルセルロースの総重量の０を超えかつ約２重量％（％  ｂｙ  ｗｅｉｇｈｔ）未満のカルボニル量を特徴とする、請求項１６に記載の方法。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
２以上の細胞種を含む不均一生物検体中の標的タンパク質の量を測定するための方法であって、
不均一生物検体からタンパク質を抽出する工程；
前記タンパク質を切断してペプチドとする工程；
前記ペプチドを質量分析により分析してベンチマークタンパク質のプロテオ型ペプチドの量、成分特異的タンパク質のプロテオ型ペプチドの量、及び標的タンパク質のプロテオ型ペプチドの量を測定する工程；
前記生物検体中の前記ベンチマークタンパク質の量、前記成分特異的タンパク質の量、及び前記標的タンパク質の量を、対応するプロテオ型ペプチドの量に基づいて定量する工程；
前記成分特異的タンパク質の量を前記ベンチマークタンパク質の量に対して正規化して、前記成分特異的タンパク質を発現する成分細胞種の成分係数を特定する工程；
前記標的タンパク質の量を前記成分細胞種の成分係数に対して正規化して、前記不均一生物検体中の標的タンパク質の標的値を表す成分係数補正量を特定する工程；
を含むことを特徴とする方法。
【請求項２】
前記不均一生物検体が、新生物、生検、生物流体検体、又は口腔粘膜、尿路上皮、気道上皮もしくは消化管上皮からの剥離細胞を含む、請求項１に記載の方法。
【請求項３】
前記新生物が、癌を含むか、前記生検が、針生検を含むか、又は前記生物流体検体が、血液検体を含む、請求項２に記載の方法。
【請求項４】
前記不均一生物検体が、非ヒト宿主種内で増殖されたヒト腫瘍異種移植組織を含む、請求項１に記載の方法。
【請求項５】
前記成分特異的タンパク質が、ヒトタンパク質であるか、又は非ヒト宿主種タンパク質である、請求項４に記載の方法。
【請求項６】
前記標的タンパク質が、ヒトタンパク質である、請求項４に記載の方法。
【請求項７】
前記切断工程が、前記タンパク質をタンパク質分解酵素と接触させることを含む、請求項１に記載の方法。
【請求項８】
前記標的タンパク質が、一塩基ＤＮＡ多形、染色体再配列、又は体細胞ＤＮＡ突然変異、挿入又は欠失であるか、細胞ＲＮＡプロセシング中に生じる配列変異体であるか、培養細胞のプロテオミクス分析から選択されるか、解剖により不均一生物検体から単離された細胞種の質量分析に基づくプロテオミクス分析により選択されるか、無傷の新生物のプロテオミクス分析により選択されるか、又は新生物又は新生物から培養された細胞のｍＲＮＡ発現分析により選択されるものである、請求項１に記載の方法。
【請求項９】
前記成分特異的タンパク質が、癌細胞によって特徴的に発現されるタンパク質である、請求項１に記載の方法。
【請求項１０】
前記標的タンパク質が、免疫細胞によって特徴的に発現される、請求項９に記載の方法。
【請求項１１】
前記成分係数が、前記不均一生物検体の癌成分係数を提供し、且つ、前記標的値が、前記不均一生物検体中への免疫細胞による浸潤の程度を特定する免疫細胞富化値を提供する、請求項１０に記載の方法。
【請求項１２】
前記不均一生物検体が、被験体から得られたものであり、前記標的タンパク質の標的値が閾値量を超えるか、それ未満でれば、前記被験体に有効量の治療薬を投与することを更に含む、請求項１に記載の方法。
【請求項１３】
前記標的タンパク質の標的値が、前記成分細胞種中の標的タンパク質の量を特定するか、又は前記不均一生物検体中の前記標的タンパク質の標的値が、癌のサブタイプの指標となる、請求項１に記載の方法。
【請求項１４】
前記成分特異的タンパク質が、レーザー捕捉顕微解剖により不均一生物検体から単離された細胞種の質量分析に基づくプロテオミクス分析により選択されるか、新生物又は新生物から培養された細胞のｍＲＮＡ発現分析により選択される、請求項１に記載の方法。
【請求項１５】
前記ベンチマークタンパク質が、レーザー捕捉顕微解剖により不均一生物検体から単離された細胞種の質量分析に基づくプロテオミクス分析により選択されるか、新生物又は新生物から培養された細胞のｍＲＮＡ発現分析により選択される、請求項１に記載の方法。
【請求項１６】
前記成分係数が、前記ベンチマークタンパク質の測定量対前記成分特異的タンパク質の測定量の比として特定される、請求項１に記載の方法。
【請求項１７】
前記不均一生物検体中の前記標的タンパク質の標的値に基づき、被験体において癌を治療するための処置を選択することを更に含む、請求項１に記載の方法。
【請求項１８】
前記不均一生物検体が、腫瘍検体を含み、且つ、免疫細胞富化値に基づいて腫瘍への免疫浸潤を変化させるために被験体に対する処置を選択するか、前記免疫細胞富化値に基づいて前記腫瘍に対する免疫応答を活性化させるために被験体に対する処置を選択することを更に含む、請求項１１に記載の方法。
【請求項１９】
前記不均一生物検体が、腫瘍検体を含み；前記成分係数が、前記腫瘍における免疫細胞による浸潤の程度を特定し；前記免疫細胞が、Ｂ細胞、Ｔ細胞、及びマクロファージのうち１以上であり；且つ、前記免疫細胞富化値に基づいて前記腫瘍に対する免疫応答を活性化させるために被験体に対する処置を選択することを更に含む、請求項１１に記載の方法。
【請求項２０】
前記生物検体が、被験体から得られたものであり、且つ、前記生物検体中の前記標的タンパク質の前記標的値に基づいて前記被験体に対する処置を提供することを更に含む、請求項１に記載の方法。
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
グラフェンホールセンサを動作させるための方法であって、
変調されたゲート信号を前記グラフェンホールセンサ（ＧＨＳ）の第１のゲートに提供することであって、前記変調されたゲート信号が、前記ＧＨＳに第１の導電状態を生成する第１の電圧と前記ＧＨＳに第２の導電状態を生成する第２の電圧との間の変調周波数で交番し、前記第２の導電状態が前記第１の導電状態と同じ導電性を有する、前記変調されたゲート信号を提供することと、
前記ＧＨＳの第１の軸を介してバイアス電流を提供することと、
変調されたホール電圧とオフセット電圧とを含む結果の出力電圧信号を前記ホールセンサの第２の軸を介して得ることであって、前記ホール電圧が前記変調周波数で変調される、前記結果の出力電圧信号を得ることと、
前記オフセット電圧を含まない前記ホール電圧の振幅を抽出することと、
を含む、方法。
【請求項２】
請求項１に記載の方法であって、
前記ホール電圧の振幅を抽出することが、前記出力電圧信号の同期復調によって実施される、方法。
【請求項３】
請求項１に記載の方法であって、
前記ホール電圧の振幅を抽出することが、前記出力電圧信号をバンドパスフィルタリングすることによって実施される、方法。
【請求項４】
請求項１に記載の方法であって、
前記ホール電圧の振幅を抽出することが、高速フーリエ変換を用いることによって実施される、方法。
【請求項５】
請求項１に記載の方法であって、
前記変調されたゲートバイアス信号が、１０〜１００ＭＨｚの範囲の周波数で変調される、方法。
【請求項６】
請求項１に記載の方法であって、
前記第１のゲートが頂部ゲートであり、前記ＧＨＳがバックゲートを有し、前記変調されたゲート信号が前記頂部ゲートに提供され、適応制御された電圧が前記バックゲートに印加される、方法。
【請求項７】
請求項１に記載の方法であって、
前記第１のゲートがバックゲートであり、前記変調されたゲート信号が前記バックゲートに提供される、方法。
【請求項８】
請求項１に記載の方法であって、
前記変調されたゲート信号が、負の電圧振幅ＶＧ１と正の電圧振幅ＶＧ２との間で変調されて、前記ＧＨＳを２つの等しい導電状態間で切り替えさせ、その結果、各状態におけるオフセット電圧が等しくなる、方法。
【請求項９】
ホール効果センサシステムであって、
グラフェン層と、誘電体によって前記グラフェン層から離間される伝導性の第１のゲートとを有するグラフェンホールセンサ（ＧＨＳ）であって、前記グラフェン層が、前記グラフェン層の第１の軸を介してバイアス電流を提供するように構成される第１のコンタクトの対と、前記グラフェン層の第２の軸を介してホール効果電圧を測定するように構成される第２のコンタクトの対とを備え、前記ホール効果電圧がオフセット電圧を含む、前記グラフェンホールセンサと、
前記第１のゲートに結合され、前記ＧＨＳに第１の導電状態を生成する第１の電圧と、前記ＧＨＳに第２の導電状態を生成する第２の電圧との間の変調周波数で交番する変調ゲートバイアス信号を提供するように構成される発振器であって、前記第２の導電状態が前記第１の導電状態と同じ導電性を有する、前記発振器と、
前記ホール効果電圧を受け取るように結合され、前記オフセット電圧を含まない前記ホール効果電圧の振幅を抽出するように構成される復号器と、
を含む、ホール効果センサシステム。
【請求項１０】
請求項９に記載のホール効果センサシステムであって、
前記第１のゲートが、前記ＧＨＳのチャネル部分のみを覆って前記第１のコンタクトの対と前記第２のコンタクトの対とを覆わない頂部ゲートである、ホール効果センサシステム。
【請求項１１】
請求項９に記載のホール効果センサシステムであって、
前記復号器が、ミキサに結合される局所発振器を含み、前記第２のコンタクトの対がローノイズアンプを介して前記ミキサに結合される、ホール効果センサシステム。
【請求項１２】
請求項９に記載のホール効果センサシステムであって、
前記復号器がバンドパスフィルタを含む、ホール効果センサシステム。
【請求項１３】
請求項９に記載のホール効果センサシステムであって、
前記復号器が、アナログデジタルコンバータと、前記ホール効果電圧の高速フーリエ変換を実施するように構成されるプロセッサとを含む、ホール効果センサシステム。
【請求項１４】
請求項９に記載のホール効果センサシステムであって、
前記発振器が、１０〜１００ＭＨｚの範囲の変調周波数を有する前記変調ゲート信号を提供するように構成される、ホール効果センサシステム。
【請求項１５】
請求項９に記載のホール効果センサシステムであって、
前記第１のゲートが頂部ゲートであり、前記ＧＨＳがバックゲートを有し、前記発振器からの前記変調ゲート信号が前記頂部ゲートに印加され、適応制御された電圧源が前記バックゲートに印加される、ホール効果センサシステム。
【請求項１６】
請求項９に記載のホール効果センサシステムであって、
前記第１のゲートがバックゲートであり、前記発振器からの前記変調ゲート信号が前記バックゲートに印加される、ホール効果センサシステム。
【請求項１７】
請求項９に記載のホール効果センサシステムであって、
燃料タンクを更に含み、前記ＧＨＳが前記燃料タンクに結合される、ホール効果センサシステム。
【請求項１８】
請求項９に記載のホール効果センサシステムであって、
前記ＧＨＳが伝導ワイヤを囲む磁束コアに結合される、ホール効果センサシステム。
【請求項１９】
ホール効果センサを動作させる方法であって、
前記ホール効果センサの第１のゲートに変調周波数で発振ゲート電圧を印加することであって、前記ゲート電圧が、前記ホール効果センサに第１の導電状態を生成する第１の電圧と、前記ホール効果センサに第２の導電状態を生成する第２の電圧との間で発振し、前記第２の導電状態が前記第１の導電状態と同じ導電性を有する、前記発振ゲート信号を印加することと、
前記ホール効果センサの第１の軸を通してバイアス電流を伝導することと、
前記ホール効果センサの第２の軸を介して出力電圧信号を生成することであって、前記出力電圧信号が前記変調周波数で変調されたホール電圧とオフセット電圧とを含む、前記出力電圧信号を生成することと、
前記オフセット電圧を含まない前記ホール電圧の振幅を抽出することと、
を含む、方法。
【請求項２０】
請求項１９に記載の方法であって、
復調された出力信号を生成するために前記変調周波数での発振電圧を前記変調されたホール電圧と混合することと、
前記復調された出力信号をフィルタリングすることと、
を更に含む、方法。